【手続補正書】
【提出日】平成20年8月7日(2008.8.7)
【手続補正１】
【補正対象書類名】明細書
【補正対象項目名】発明の名称
【補正方法】変更
【補正の内容】
【発明の名称】画像形成装置及びその制御方法  
【手続補正２】
【補正対象書類名】明細書
【補正対象項目名】特許請求の範囲
【補正方法】変更
【補正の内容】
【特許請求の範囲】
【請求項１】  複数の操作部と、前記複数の操作部のうち少なくとも１つの操作部を選択する選択手段と、前記複数の操作部のうち前記選択装置により選択されていない少なくとも１つの操作部による操作を無効にする制御手段とを備え、
前記複数の操作部は、発光部を含むキー入力手段及びバックライト付きの液晶表示部をそれぞれ有し、前記制御手段は、前記選択手段による選択に関係なく、前記複数の操作部のすべての液晶表示部に対して同じ表示データを出力し、前記複数の操作部のうち前記選択手段により選択されていない少なくとも１つの操作部の各々における前記キー入力手段による操作を無効にすると共に、前記選択手段によって選択されていない少なくとも１つの操作部の各々における前記バックライトの点灯を禁止し、且つ、前記選択手段により選択された少なくとも１つの操作部の各々における前記キー入力手段による操作を許容して、前記選択手段により選択された少なくとも１つの操作部の各々における前記バックライトを点灯し、前記選択手段により選択された少なくとも１つの操作部の各々における前記キー入力手段の発光部を点灯することを特徴とする画像形成装置。
【請求項２】  複数の操作部と、前記複数の操作部のうち少なくとも１つの操作部を選択する選択手段と、前記複数の操作部のうち前記選択装置により選択されていない少なくとも１つの操作部による操作を無効にする制御手段とを備え、
前記複数の操作部は、発光部を含むキー入力手段及びバックライト付きの液晶タッチパネルをそれぞれ有し、前記制御手段は、前記選択手段による選択に関係なく、前記複数の操作部のすべての液晶タッチパネルに対して同じ表示データを出力し、前記複数の操作部のうち前記選択手段により選択されていない少なくとも１つの操作部の各々における前記キー入力手段による操作及び前記液晶タッチパネルからの入力を無効にすると共に、前記選択手段によって選択されていない少なくとも１つの操作部の各々における前記バックライトの点灯を禁止し、且つ、前記選択手段により選択された少なくとも１つの操作部の各々における前記キー入力手段による操作及び前記液晶タッチパネルからの入力を許容して、前記選択手段により選択された少なくとも１つの操作部の各々における前記バックライトを点灯し、前記選択手段により選択された少なくとも１つの操作部の各々における前記キー入力手段の発光部を点灯することを特徴とする画像形成装置。
【請求項３】  発光部を含むキー入力手段及びバックライト付きの液晶表示部をそれぞれ有する複数の操作部を含む画像形成装置の制御方法であって、
前記複数の操作部のうち少なくとも１つの選択部を選択する選択ステップと、
前記選択ステップにおける選択に関係なく、前記複数の操作部のすべての液晶表示部に対して同じ表示データを出力する出力ステップと、
前記複数の操作部のうち前記選択ステップで選択されていない少なくとも１つの操作部の各々における前記キー入力手段による操作を無効にする無効ステップと、
前記選択ステップで選択されていない少なくとも１つの操作部の各々における前記バックライトの点灯を禁止する禁止ステップと、
前記選択ステップで選択された少なくとも１つの操作部の各々における前記キー入力手段による操作を許容する許容ステップと、
前記選択ステップで選択された少なくとも１つの操作部の各々における前記バックライトを点灯するバックライト点灯ステップと、
前記選択ステップで選択された少なくとも１つの操作部の各々における前記キー入力手段の発光部を点灯する点灯ステップを備えることを特徴とする画像形成装置の制御方法。
【請求項４】  発光部を含むキー入力装置及びバックライト付きの液晶タッチパネルをそれぞれ有する複数の操作部を含む画像形成装置の制御方法であって、
前記複数の操作部のうち少なくとも１つの操作部を選択する選択ステップと、
前記選択ステップにおける選択に関係なく、前記複数の操作部のすべての液晶タッチパネルに対して同じ表示データを出力する出力ステップと、
前記複数の操作部のうち前記選択ステップで選択されていない少なくとも１つの操作部の各々における前記キー入力手段による操作及び前記液晶タッチパネルからの入力を無効にする無効ステップと、
前記選択ステップで選択されていない少なくとも１つの操作部の各々における前記バックライトの点灯を禁止する禁止ステップと、
前記選択ステップで選択された少なくとも１つの操作部の各々における前記キー入力装置に操作及び前記液晶タッチパネルからの入力を許容する許容ステップと、
前記選択ステップで選択された少なくとも１つの操作部の各々における前記バックライトを点灯するバックライト点灯ステップと、
前記選択ステップで選択された少なくとも１つの操作部の各々における前記キー入力装置の発光部を点灯する点灯ステップを備えることを特徴とする画像形成装置の制御方法。
【手続補正３】
【補正対象書類名】明細書
【補正対象項目名】０００１
【補正方法】変更
【補正の内容】
【０００１】
【発明の属する技術分野】
本発明は、画像形成装置及びその制御方法に関し、特に、複数の操作部を有する画像形成装置及びその制御方法に関する。
【手続補正４】
【補正対象書類名】明細書
【補正対象項目名】０００６
【補正方法】変更
【補正の内容】
【０００６】
本発明の目的は、複数の操作部が少なくとも誤動作を誘発しないような画像形成装置及びその制御装置を提供することにある。
【手続補正５】
【補正対象書類名】明細書
【補正対象項目名】０００７
【補正方法】変更
【補正の内容】
【０００７】
【課題を解決するための手段】
上記目的を達成するために、請求項１記載の画像形成装置は、複数の操作部と、前記複数の操作部のうち少なくとも１つの操作部を選択する選択手段と、前記複数の操作部のうち前記選択装置により選択されていない少なくとも１つの操作部による操作を無効にする制御手段とを備え、前記複数の操作部は、発光部を含むキー入力手段及びバックライト付きの液晶表示部をそれぞれ有し、前記制御手段は、前記選択手段による選択に関係なく、前記複数の操作部のすべての液晶表示部に対して同じ表示データを出力し、前記複数の操作部のうち前記選択手段により選択されていない少なくとも１つの操作部の各々における前記キー入力手段による操作を無効にすると共に、前記選択手段によって選択されていない少なくとも１つの操作部の各々における前記バックライトの点灯を禁止し、且つ、前記選択手段により選択された少なくとも１つの操作部の各々における前記キー入力手段による操作を許容して、前記選択手段により選択された少なくとも１つの操作部の各々における前記バックライトを点灯し、前記選択手段により選択された少なくとも１つの操作部の各々における前記キー入力手段の発光部を点灯することを特徴とする。
【手続補正６】
【補正対象書類名】明細書
【補正対象項目名】０００８
【補正方法】変更
【補正の内容】
【０００８】
請求項２記載の画像形成装置は、複数の操作部と、前記複数の操作部のうち少なくとも１つの操作部を選択する選択手段と、前記複数の操作部のうち前記選択装置により選択されていない少なくとも１つの操作部による操作を無効にする制御手段とを備え、前記複数の操作部は、発光部を含むキー入力手段及びバックライト付きの液晶タッチパネルをそれぞれ有し、前記制御手段は、前記選択手段による選択に関係なく、前記複数の操作部のすべての液晶タッチパネルに対して同じ表示データを出力し、前記複数の操作部のうち前記選択手段により選択されていない少なくとも１つの操作部の各々における前記キー入力手段による操作及び前記液晶タッチパネルからの入力を無効にすると共に、前記選択手段によって選択されていない少なくとも１つの操作部の各々における前記バックライトの点灯を禁止し、且つ、前記選択手段により選択された少なくとも１つの操作部の各々における前記キー入力手段による操作及び前記液晶タッチパネルからの入力を許容して、前記選択手段により選択された少なくとも１つの操作部の各々における前記バックライトを点灯し、前記選択手段により選択された少なくとも１つの操作部の各々における前記キー入力手段の発光部を点灯することを特徴とする。
【手続補正７】
【補正対象書類名】明細書
【補正対象項目名】０００９
【補正方法】変更
【補正の内容】
【０００９】
上記目的を達成するために、請求項３記載の画像形成装置の制御方法は、発光部を含むキー入力手段及びバックライト付きの液晶表示部をそれぞれ有する複数の操作部を含む画像形成装置の制御方法であって、前記複数の操作部のうち少なくとも１つの選択部を選択する選択ステップと、前記選択ステップにおける選択に関係なく、前記複数の操作部のすべての液晶表示部に対して同じ表示データを出力する出力ステップと、前記複数の操作部のうち前記選択ステップで選択されていない少なくとも１つの操作部の各々における前記キー入力手段による操作を無効にする無効ステップと、前記選択ステップで選択されていない少なくとも１つの操作部の各々における前記バックライトの点灯を禁止する禁止ステップと、前記選択ステップで選択された少なくとも１つの操作部の各々における前記キー入力手段による操作を許容する許容ステップと、前記選択ステップで選択された少なくとも１つの操作部の各々における前記バックライトを点灯するバックライト点灯ステップと、前記選択ステップで選択された少なくとも１つの操作部の各々における前記キー入力手段の発光部を点灯する点灯ステップを備えることを特徴とする。
請求項４記載の画像形成装置の制御方法は、発光部を含むキー入力装置及びバックライト付きの液晶タッチパネルをそれぞれ有する複数の操作部を含む画像形成装置の制御方法であって、前記複数の操作部のうち少なくとも１つの操作部を選択する選択ステップと、前記選択ステップにおける選択に関係なく、前記複数の操作部のすべての液晶タッチパネルに対して同じ表示データを出力する出力ステップと、前記複数の操作部のうち前記選択ステップで選択されていない少なくとも１つの操作部の各々における前記キー入力手段による操作及び前記液晶タッチパネルからの入力を無効にする無効ステップと、前記選択ステップで選択されていない少なくとも１つの操作部の各々における前記バックライトの点灯を禁止する禁止ステップと、前記選択ステップで選択された少なくとも１つの操作部の各々における前記キー入力装置に操作及び前記液晶タッチパネルからの入力を許容する許容ステップと、前記選択ステップで選択された少なくとも１つの操作部の各々における前記バックライトを点灯するバックライト点灯ステップと、前記選択ステップで選択された少なくとも１つの操作部の各々における前記キー入力装置の発光部を点灯する点灯ステップを備えることを特徴とする。